(57)【要約】【課題】電子機器の本体やカバーが傷ついたり、変形したりすることを抑制でき、かつ、押え板の移動を繰り返してもカバーを本体に保持できるようにする。【解決手段】カバー保持構造１は、本体２の表面のうちカバー３によって覆われる第一領域１１とは別の第二領域１２から突出する回転軸部４と、回転軸部の先端３２に設けられ、径方向において回転軸部よりも外側に突出するフランジ部５と、第二領域に面接触するように配され、回転軸部を挿通させる挿通孔４３を有する板本体４１、及び、挿通孔の周縁部分に設けられ、板本体とフランジ部との間に挟まれることで弾性変形して板本体を第二領域に向けて押し付けるばね部４２を有する押え板６と、を備える。押え板は、ばね部の弾性力によって板本体がカバーを本体に向けて押さえる第一回転位置Ｐ１と、板本体がカバーを押さえない第二回転位置との間で、回転軸部を中心として回転移動可能である。【選択図】図４
2019215401.tif 000002
【特許請求の範囲】
【請求項１】
本体と、
前記本体の表面のうち第一領域を覆うカバーと、
前記本体の表面のうち第二領域から突出する回転軸部と、
前記回転軸部の突出方向の先端に設けられ、径方向において前記回転軸部よりも外側に突出するフランジ部と、
少なくとも前記第二領域に面接触するように配され、前記回転軸部を挿通させる挿通孔を有する板本体、及び、前記挿通孔の周縁部分に設けられ、前記板本体と前記フランジ部との間に挟まれることで弾性的に変形して前記板本体を前記第二領域に向けて押し付けるばね部、を有する押え板と、を備え、
前記押え板は、前記ばね部の弾性力によって前記板本体が前記カバーを前記本体の表面に向けて押さえる第一回転位置と、前記板本体が前記カバーを押さえない第二回転位置との間で、前記回転軸部を中心として回転移動可能であるカバー保持構造。
【請求項２】
前記ばね部が、前記板本体に一体に形成されている請求項１に記載のカバー保持構造。
【請求項３】
前記フランジ部が、前記回転軸部に対して着脱可能に固定され、
前記ばね部は、
前記板本体に一体に形成され、前記回転軸部を前記挿通孔に挿通させることにより、前記回転軸部に押されて前記板本体の板厚方向において前記本体の表面から離れるように前記板本体に対して弾性的に撓み変形する第一板ばね部と、
前記第一板ばね部の先端に一体に形成され、前記フランジ部を前記回転軸部に取り付けることで、前記フランジ部と前記第一板ばね部との間に挟まれて前記第一板ばね部に対して弾性的に撓み変形する第二板ばね部と、
を備える請求項２に記載のカバー保持構造。
【請求項４】
前記ばね部が、前記挿通孔の周方向に等間隔で複数配列されている請求項３に記載のカバー保持構造。
【請求項５】
前記板本体が、前記挿通孔の形成部位及び前記カバーを押さえる押え部位を一方向に配列した帯板状に形成され、
前記押え板は、前記板本体の幅方向の両端部に一体に形成され、前記板本体の板厚方向において前記本体の表面から離れる方向に延びる一対の延長板部をさらに備える請求項１から請求項４のいずれか一項に記載のカバー保持構造。
【請求項６】
前記延長板部の延長方向の先端部が、前記幅方向において前記板本体の内側に折り返されている請求項５に記載のカバー保持構造。
【請求項７】
本体の表面のうち第一領域を覆うカバーを押え板によって押さえるカバー保持方法であって、
前記押え板の板本体に形成された挿通孔に、前記本体の表面のうち第二領域から突出する回転軸部を挿通させた上で、前記板本体を少なくとも前記第二領域に面接触させるように配し、
挿通孔の周縁部分に設けられた前記押え板のばね部を、前記板本体と、前記回転軸部の突出方向の先端に設けられて径方向において前記回転軸部よりも外側に突出するフランジ部との間に挟み込み、
前記第二領域と前記フランジ部との間に挟み込まれた前記ばね部の弾性力によって、前記板本体を前記第二領域に向かって押し付け、
前記回転軸部を中心として、前記押え板を、前記ばね部の弾性力によって前記板本体が前記カバーを前記本体の表面に向けて押さえる第一回転位置と、前記板本体が前記カバーを押さえない第二回転位置との間で回転移動させるカバー保持方法。
【発明の詳細な説明】
【技術分野】
【０００１】
本発明は、カバー保持構造、及びカバー保持方法に関する。
【背景技術】
【０００２】
特許文献１には、プロジェクターのランプを覆うランプカバーが開かないように施錠するランプカバーの錠が開示されている。特許文献１の錠は、プロジェクターカバーの内外に出没可能な凸部（第２の軸部分）と、プロジェクターカバーの外側に配されたランプカバーに形成され、プロジェクターカバーから突出した凸部を挿入する凹部（移動防止装置）と、を備える。プロジェクターカバーから突出した凸部が、ランプカバーの凹部に挿入されることで、ランプカバーが開くことを防いでいる。
【先行技術文献】
【特許文献】
【０００３】
【特許文献１】特開２００９−１１６３２７号公報
【発明の概要】
【発明が解決しようとする課題】
【０００４】
ところで、表示装置やプロジェクター等の電子機器では、その本体の所定部分を覆うカバーを、押え板によって本体に向けて押さえることで、本体に対して保持することが考えられる。また、カバーを本体に対して簡単に着脱できるように、押え板が、カバーを押さえる第一位置とカバーを押さえない第二位置との間で、本体やカバーの表面に沿って移動するように、押え板を本体に取り付けることが考えられる。また、押え板には、本体やカバーの表面に対向する押え板の対向面から突出し、押え板が第一位置に配された状態で、カバーに形成された凹部に入り込む凸部を形成することが考えられる。
【０００５】
しかしながら、押え板が凸部を有する構成では、押え板を第一位置から移動させて凸部がカバーの凹部から抜け出た状態において、押え板が弾性的に撓み変形し、凸部が本体やカバーの表面に押し付けられる。このため、押え板を移動させると、凸部によって本体やカバーの表面が傷ついたり、変形したりして、電子機器の外観意匠を損なう可能性がある。
また、押え板が凸部を有する構成では、第一位置と第二位置との間で押え板の移動を繰り返すことで、押え板が撓み変形した反り形状と、撓み変形しない水平形状とを繰り返す。このため、押え板のばね性能が劣化して押え板が塑性的に反り形状に変形し、押え板の凸部が凹部に入る量が減少してしまう。その結果として、カバーが本体から外れてしまう可能性がある。
【０００６】
この発明は、上述した事情に鑑みてなされたものであって、本体やカバーが傷ついたり、変形したりすることを抑制でき、かつ、押え板の移動を繰り返してもカバーを本体に保持できるカバー保持構造及びカバー保持方法を提供することを目的とする。
【課題を解決するための手段】
【０００７】
本発明のカバー保持構造は、本体と、前記本体の表面のうち第一領域を覆うカバーと、前記本体の表面のうち第二領域から突出する回転軸部と、前記回転軸部の突出方向の先端に設けられ、径方向において前記回転軸部よりも外側に突出するフランジ部と、少なくとも前記第二領域に面接触するように配され、前記回転軸部を挿通させる挿通孔を有する板本体、及び、前記挿通孔の周縁部分に設けられ、前記板本体と前記フランジ部との間に挟まれることで弾性的に変形して前記板本体を前記第二領域に向けて押し付けるばね部、を有する押え板と、を備え、前記押え板は、前記ばね部の弾性力によって前記板本体が前記カバーを前記本体の表面に向けて押さえる第一回転位置と、前記板本体が前記カバーを押さえない第二回転位置との間で、前記回転軸部を中心として回転移動可能であることを特徴とする。
【０００８】
本発明のカバー保持方法は、本体の表面のうち第一領域を覆うカバーを押え板によって押さえるカバー保持方法であって、前記押え板の板本体に形成された挿通孔に、前記本体の表面のうち第二領域から突出する回転軸部を挿通させた上で、前記板本体を少なくとも前記第二領域に面接触させるように配し、挿通孔の周縁部分に設けられた前記押え板のばね部を、前記板本体と、前記回転軸部の突出方向の先端に設けられて径方向において前記回転軸部よりも外側に突出するフランジ部との間に挟み込み、前記第二領域と前記フランジ部との間に挟み込まれた前記ばね部の弾性力によって、前記板本体を前記第二領域に向かって押し付け、前記回転軸部を中心として、前記押え板を、前記ばね部の弾性力によって前記板本体が前記カバーを前記本体の表面に向けて押さえる第一回転位置と、前記板本体が前記カバーを押さえない第二回転位置との間で回転移動させることを特徴とする。
【発明の効果】
【０００９】
本発明によれば、板本体の挿通孔の周縁部分とフランジ部との間に挟まれたばね部の弾性力によって、押え板の板本体がカバーを本体の表面に向けて押さえて、カバーを本体に保持することができる。このため、押え板に凸部を形成する必要がなくなる。その結果として、押え板を回転移動させても、本体やカバーが傷ついたり、変形したりすることを抑制できる。
さらに、ばね部は、板本体を本体の第二領域に押し付けるように構成されるため、押え板の回転位置に関わらず、ばね部の形状に変化が生じることを防止できる。また、押え板の回転位置に応じて板本体の形状に変化（例えば撓み変形）が生じることを抑制できる。これにより、板本体やばね部の塑性的な変形を抑制又は防止できる。したがって、第一回転位置と第二回転位置との間で押え板の回転移動を繰り返しても、カバーを本体に対して良好に保持することができる。
【図面の簡単な説明】
【００１０】
【図１】本発明の一実施形態に係るカバー保持構造であり、押え板を第一回転位置に配した状態を示す平面図である。
【図２】図１の領域Ｒを拡大して示す拡大平面図である。
【図３】図１，２のカバー保持構造において、押え板を第二回転位置に配した状態を示す拡大平面図である。
【図４】図２のIV−IV矢視断面図である。
【図５】本発明の一実施形態に係る押え板を示す斜視図である。
【図６】本発明の一実施形態に係る押え板を示す平面図である。
【図７】図６のVII−VII矢視断面図である。
【図８】図６のVIII−VIII矢視断面図である。
【図９】本発明の一実施形態に係るカバー保持構造において、押え板を本体に取り付ける過程を示す断面図である。
【図１０】本発明の一実施形態に係るカバー保持構造において、押え板を本体に取り付ける過程を示す断面図である。
【図１１】本発明の一実施形態に係るカバー保持構造において、押え板を本体に取り付ける過程を示す断面図である。
【図１２】本発明の他の実施形態に係るカバー保持構造を示す拡大断面図である。
【発明を実施するための形態】
【００１１】
以下、図１〜１１を参照して本発明の一実施形態について説明する。
図１〜４に示すように、本実施形態に係るカバー保持構造１は、本体２と、カバー３と、回転軸部４と、フランジ部５と、押え板６と、を備える。
【００１２】
本体２は、例えば表示装置などの電子機器における筐体を構成してよい。筐体の外面等をなす本体２の表面には、カバー３によって覆われる第一領域１１と、カバー３によって覆われない第二領域１２と、がある。
本体２の具体的な構成や形状は任意であってよい。本体２の第一領域１１は、例えば一つであってよいが、本実施形態では、本体２をその表面側から見た平面視で、互いに間隔をあけて複数配列されている。具体的に、本体２は二つの第一領域１１を有する。また、第一領域１１は、例えば第二領域１２と共に同一平面をなしてもよいが、本実施形態においては、図４に示すように第二領域１２よりも低く位置している。さらに、本実施形態において、第二領域１２は平坦に形成されている。また、二つの第一領域１１の間に位置する第二領域１２を構成し、かつ、後述する回転軸部４が設けられる本体２の部位は、別個の板状部材１３を重ねて固定することで構成されている。
【００１３】
図１〜４に示すように、カバー３は、本体２の第一領域１１を覆う。本実施形態のカバー保持構造１は、二つの第一領域１１をそれぞれ覆う二つのカバー３を備える。
カバー３の形状は任意であってよい。本実施形態のカバー３は、平面視で、各第一領域１１に対応する形状に形成されている。また、本実施形態において、カバー３が本体２の第一領域１１を覆った状態において外側に向くカバー３の表面２１は、本体２の第二領域１２と同じ高さに位置する。すなわち、カバー３が本体２の第一領域１１を覆った状態においては、カバー３の表面２１が、本体２の第二領域１２と共に同一平面をなす。
図１〜４に例示するカバー３には、これを貫通する複数の開口孔が形成されているが、これに限ることはない。
【００１４】
図４に示すように、回転軸部４は、本体２の第二領域１２から突出する。本実施形態の回転軸部４は、二つの第一領域１１の間に位置する第二領域１２に設けられている。回転軸部４は、例えば本体２と別個に形成され、本体２に対して圧入等によって固定されてよい。本実施形態の回転軸部４は、本体２と一体に形成されている。具体的に、回転軸部４は、前述した本体２の板状部材１３に一体に形成されている。
【００１５】
回転軸部４は、本体２の第二領域１２に直交する軸線Ｏを中心とする柱状又は筒状に形成されればよい。回転軸部４は、例えば軸線Ｏ方向から見て多角形の柱状や筒状に形成されてよいし、また、円柱状に形成されてもよい。本実施形態の回転軸部４は、円筒状に形成されている。回転軸部４の内周には雌ねじ３１（図９，１０参照）が形成されている。回転軸部４が本体２と別個に形成される場合、回転軸部４は、例えば円筒状のナットであってよい。
【００１６】
フランジ部５は、回転軸部４の突出方向の先端３２に設けられる。フランジ部５は、回転軸部４の径方向において回転軸部４よりも外側に突出する。フランジ部５は、例えば回転軸部４に一体に形成されてよい。本実施形態のフランジ部５は、回転軸部４に対して着脱可能に設けられる。フランジ部５の具体的な構成は任意であってよい。本実施形態のフランジ部５は、回転軸部４の雌ねじ３１に噛み合う座金付き螺子７の平座金３５である。
【００１７】
押え板６は、本体２の第一領域１１に配されたカバー３を本体２に対して保持するものである。図４〜７に示すように、押え板６は、板本体４１と、ばね部４２と、を備える。
板本体４１は、板状に形成され、少なくとも本体２の第二領域１２に面接触するように配される。本実施形態においては、本体２の第二領域１２が平坦に形成されるため、板本体４１も平坦に形成されている。板本体４１には、回転軸部４を挿通させる挿通孔４３が形成されている。挿通孔４３は、板本体４１の板厚方向に貫通している。
【００１８】
図５，６に示すように、挿通孔４３の周縁には、ガイド４４が形成されている。ガイド４４は、円形状に形成された回転軸部４の外周に対応する円弧状に形成されている。ガイド４４は、挿通孔４３の周方向に間隔をあけて複数配列されている。ガイド４４の数は、例えば三つ以上であってよいが、本実施形態では二つである。二つのガイド４４は、挿通孔４３の径方向において対向するように配されている。これにより、押え板６は、回転軸部４を板本体４１の挿通孔４３に挿通させた状態で、回転軸部４の軸線Ｏを中心として回転可能となる。
【００１９】
押え板６は、図１，２，４に示すように後述するばね部４２の弾性力によって板本体４１が本体２の第二領域１２に配されたカバー３を押さえる第一回転位置Ｐ１と、図３に示すように板本体４１がカバー３を押さえない第二回転位置Ｐ２との間で、回転軸部４を中心として回転移動可能となっている。
【００２０】
図２〜６に示すように、板本体４１は、挿通孔４３を形成した形成部位４５と、第二領域１２に配されたカバー３を押さえる押え部位４６とを一方向に配列した帯板状に形成されている。本実施形態では、一方向において形成部位４５の両側に押え部位４６が位置する。図２〜４に示すように、板本体４１の形成部位４５は、押え板６の回転位置に関わらず、本体２の第二領域１２上に位置する。板本体４１の押え部位４６は、押え板６が第一回転位置Ｐ１に配された状態でカバー３上（本体２の第一領域１１上）に位置し、押え板６が第二回転位置Ｐ２に配された状態で本体２の第二領域１２上に位置する。
【００２１】
図４〜７に示すように、ばね部４２は、本体２の第二領域１２上に配される挿通孔４３の周縁部分に設けられる。ばね部４２は、板本体４１と平座金３５（フランジ部５）との間に挟まれることで弾性的に変形する。これにより、ばね部４２は、自身の弾性力によって板本体４１を本体２の第二領域１２に向けて押し付ける。板本体４１を本体２に押し付けるばね部４２の弾性力は、押え板６の回転位置に関わらず変化しない。
【００２２】
本実施形態のばね部４２は、板本体４１に一体に形成されている。ばね部４２は、第一板ばね部４７と、第二板ばね部４８と、を有する。
第一板ばね部４７は、板本体４１に一体に形成される。第一板ばね部４７は、図９，１０に示すように、回転軸部４を板本体４１の挿通孔４３に挿通させることにより、回転軸部４に押されて板本体４１の板厚方向において本体２の表面（第二領域１２）から離れるように板本体４１に対して弾性的に撓み変形する。
図４〜７に示すように、第二板ばね部４８は、第一板ばね部４７の先端に一体に形成される。第二板ばね部４８は、図１１に示すように、平座金３５（フランジ部５）を回転軸部４の先端３２に取り付けることで、平座金３５と第一板ばね部４７との間に挟まれて第一板ばね部４７に対して弾性的に撓み変形する。
以下、本実施形態のばね部４２について、より具体的に説明する。
【００２３】
図５，６に示すように、本実施形態の第一板ばね部４７は、板本体４１の挿通孔４３の周縁から互いに平行して挿通孔４３の外側に延びる二つのスリット４９の間に形成されている。第一板ばね部４７は、二つのスリット４９の延長方向の先端を起点として、挿通孔４３に向けて延びる帯板状に形成されている。これにより、第一板ばね部４７は、板本体４１に対してその板厚方向に弾性的に撓み変形可能となる。
【００２４】
第一板ばね部４７の延長方向の先端部分は、板本体４１をその板厚方向から見た平面視で、挿通孔４３に挿通される回転軸部４と重なるように位置する。すなわち、第一板ばね部４７の先端部分は、径方向において挿通孔４３の内側に位置する。これにより、図１０に示すように回転軸部４を板本体４１の挿通孔４３に挿通させた際には、第一板ばね部４７の先端部分が回転軸部４に押されて、板本体４１の板厚方向において本体２の表面から離れるように板本体４１に対して弾性的に撓み変形することができる。回転軸部４を板本体４１の挿通孔４３に挿通させた状態では、第一板ばね部４７の延長方向の先端が図１０に例示するように回転軸部４の外周面に接するとよい。
【００２５】
図５〜７に示すように、本実施形態の第二板ばね部４８は、第一板ばね部４７の先端において第一板ばね部４７に対して折り返すことで形成されている。第二板ばね部４８は、本体２の第二領域１２に対向する板本体４１の対向面５０と反対側に向く反対側面５１側に折り返される。第一板ばね部４７に対する第二板ばね部４８の折り返しの角度は、９０度以上１８０度未満であればよい。この状態において、第二板ばね部４８は、第一板ばね部４７に対して弾性的に撓み変形可能である。
【００２６】
第二板ばね部４８の先端は、図１０に示すように回転軸部４を板本体４１の挿通孔４３に挿通させた状態において、回転軸部４の突出方向において回転軸部４の先端３２よりも高く位置するとよい。これにより、図１１に示すように、座金付き螺子７の平座金３５（フランジ部５）を回転軸部４の先端３２に取り付けることで、第二板ばね部４８を第一板ばね部４７と平座金３５との間に挟み込んで、第二板ばね部４８を第一板ばね部４７に対して弾性的に撓み変形させることができる。
【００２７】
以上のように構成される本実施形態のばね部４２は、図５，６に示すように、挿通孔４３の周方向に等間隔で複数配列される。ばね部４２の数は、例えば三つ以上であってよいが、本実施形態では二つである。二つのばね部４２は、周方向に隣り合うガイド４４の間にそれぞれ位置し、挿通孔４３の径方向において互いに対向している。また、本実施形態において、二つのばね部４２は、帯板状に形成された板本体４１の長手方向（一方向）に配列されている。
【００２８】
図５〜８に示すように、本実施形態の押え板６は、一対の延長板部５２をさらに備える。一対の延長板部５２は、帯板状に形成された板本体４１の幅方向の両端部に一体に形成されている。板本体４１の幅方向は、板本体４１の板厚方向及び長手方向（一方向）に直交する方向である。一対の延長板部５２は、板本体４１の板厚方向において本体２の表面から離れる方向に延びる。本体２の表面から離れる方向とは、板本体４１の板厚方向において板本体４１の反対側面５１から離れる方向を意味する。図示例において、各延長板部５２は板本体４１に対して直交しているが、これに限ることはない。延長板部５２は、押え板６を構成する板材に折り曲げ加工を施すことで形成することができる。
【００２９】
本実施形態において、各延長板部５２の延長方向の先端部は、幅方向における板本体４１の内側に折り返されている。延長板部５２の折り返し部分５３は、例えば板本体４１の長手方向において延長板部５２の全体に形成されてよい。本実施形態において、延長板部５２の折り返し部分５３は、板本体４１の長手方向における延長板部５２の中途部分にのみ形成され、延長板部５２の両端部には形成されていない。
【００３０】
図７に示すように、延長板部５２の両端部には、板本体４１の長手方向に延びる板本体４１の延長方向の先端の辺５４と、板本体４１の長手方向の両端において延長板部５２の延長方向に延びる延長板部５２の両端の辺５５との角部５６を削り取るＣ面加工が施されている。すなわち、延長板部５２の両端部は、板本体４１の長手方向において延長板部５２の折り返し部分５３から延長板部５２の両端に向かうにしたがって延長板部５２の延長方向の寸法が小さくなるように形成されている。
【００３１】
以上のように構成される本実施形態の押え板６は、例えば金属板等のように弾性を有する板材に、切削加工、プレス加工、折り曲げ加工などを適宜施すことで製造することができる。
【００３２】
次に、本実施形態に係るカバー保持方法について説明する。カバー保持方法は、本体２の表面のうち第一領域１１を覆うカバー３を押え板６によって押さえる方法である。カバー保持方法では、はじめに押え板６を本体２に取り付ける。
【００３３】
押え板６を本体２に取り付ける際には、はじめに図９，１０に示すように、板本体４１の挿通孔４３に回転軸部４を挿通させた上で、板本体４１を本体２の第二領域１２に面接触させるように配する。板本体４１の挿通孔４３に回転軸部４を挿通させた際には、ばね部４２の第一板ばね部４７の先端部分が回転軸部４に押されて、板本体４１の板厚方向において本体２の第二領域１２から離れるように板本体４１に対して弾性的に撓み変形する。この状態において、第一板ばね部４７の先端は回転軸部４の外周面に接する。また、ばね部４２の第二板ばね部４８の先端は、回転軸部４の突出方向において回転軸部４の先端３２よりも高く位置する。
なお、板本体４１の挿通孔４３に回転軸部４を挿通させる際には、挿通孔４３のガイド４４全体が回転軸部４の外周面に接触する（図６参照）。また、ばね部４２は径方向において回転軸部４を挟み込むように位置する。このため、押え板６が、撓み変形した第一板ばね部４７の弾性力によって、回転軸部４に対して位置ずれすることはない。
【００３４】
次いで、図１１に示すように、押え板６のばね部４２を板本体４１と座金付き螺子７の平座金３５（フランジ部５）との間に挟み込む。具体的には、座金付き螺子７を回転軸部４の先端３２側から回転軸部４の雌ねじ３１に噛み合わせ、平座金３５（フランジ部５）を本体２の第二領域１２に近づけることで、ばね部４２を板本体４１と平座金３５（フランジ部５）との間に挟み込む。この際には、第二板ばね部４８が第一板ばね部４７に対して弾性的に撓み変形する。
そして、上記のように撓み変形した第一板ばね部４７及び第二板ばね部４８の弾性力、すなわち、板本体４１と平座金３５（フランジ部５）との間に挟まれたばね部４２の弾性力によって、板本体４１を本体２の第二領域１２に向けて押し付ける。
以上により、本体２に対する押え板６の取り付けが完了する。
【００３５】
本実施形態に係るカバー保持方法において、図２，４に示すように押え板６によってカバー３を押さえる場合には、回転軸部４を中心に押え板６を回転させて第一回転位置Ｐ１に配すればよい。押え板６を第一回転位置Ｐ１に配した状態では、板本体４１の押え部位４６がカバー３上（本体２の第一領域１１上）に位置するため、ばね部４２の弾性力によって板本体４１がカバー３を本体２の表面に向けて押さえることができる。
一方、図３に示すように押え板６によってカバー３を押さえない場合には、押え板６を回転させて第二回転位置Ｐ２に配すればよい。この状態では、板本体４１全体（特に押え部位４６）が本体２の第二領域１２上に位置する。この状態では、カバー３を本体２に対して着脱することができる。
以上により、本実施形態のカバー保持方法が完了する。
【００３６】
以上説明したように、本実施形態のカバー保持構造１及びカバー保持方法によれば、板本体４１の挿通孔４３の周縁部分と座金付き螺子７の平座金３５（フランジ部５）との間に挟まれたばね部４２の弾性力によって、押え板６の板本体４１がカバー３を本体２の表面に向けて押さえて、カバー３を本体２に保持することができる。このため、押え板６に凸部を形成する必要がなくなる。その結果として、押え板６を回転移動させても、本体２やカバー３が傷ついたり、変形したりすることを抑制又は防止できる。
【００３７】
また、本実施形態では、ばね部４２が、板本体４１を本体２の第二領域１２に押し付けるように構成される。このため、押え板６の回転位置に関わらず、ばね部４２の形状に変化が生じることを防止できる。また、押え板６の回転位置に応じて板本体４１の形状に変化（例えば撓み変形）が生じることを抑制できる。特に、本実施形態のカバー保持構造１では、カバー３が本体２の第一領域１１を覆った状態で、本体２の表面（第二領域１２）とカバー３の表面２１とが同一平面を形成するため、押え板６の回転位置に応じて板本体４１の形状に変化が生じることを防止できる。これにより、板本体４１やばね部４２の塑性的な変形を抑制又は防止できる。したがって、第一回転位置Ｐ１と第二回転位置Ｐ２との間で押え板６の回転移動を繰り返しても、カバー３を本体２に対して良好に保持することができる。
【００３８】
また、本実施形態では、ばね部４２が、板本体４１を本体２の第二領域１２に押し付けるように構成される。このため、板本体４１を本体２の第二領域１２と座金付き螺子７の平座金３５との間に挟む場合と比較して、カバー保持構造１の構成部品点数を削減できる。以下、この点について具体的に説明する。
【００３９】
板本体４１を本体２の第二領域１２と座金付き螺子７の平座金３５との間に挟む場合には、押え板６の回転移動に伴う本体２と押え板６との摩擦抵抗が大きくなる。このため、本体２と押え板６との間に摺動性の高い部材を挟み込んで、本体２と押え板６との摩擦抵抗を小さくする必要がある。
これに対し、本実施形態のようにばね部４２の弾性力によって板本体４１を本体２の第二領域１２に押し付ける構成では、ばね部４２の弾性力を調整することで、押え板６の回転移動に伴う本体２と押え板６との摩擦抵抗を小さく抑えることができる。これにより、本体２と押え板６との間に摺動性の高い部材を配する必要がなくなる。すなわち、カバー保持構造１の構成部品点数を削減できる。
【００４０】
また、本実施形態によれば、前述したように押え板６に凸部を形成する必要がないため、カバー３を適切な力で押さえることができるようにばね部４２の弾性力を調整するだけで、カバー保持構造１を製品に採用することが可能となる。これにより、カバー保持構造１を製品に採用するまでに要する開発の時間や費用を削減することができる。
【００４１】
また、本実施形態のカバー保持構造１では、板本体４１を本体２の第二領域１２に押し付けるばね部４２が、板本体４１と平座金３５（フランジ部５）との間に挟まれている。このため、板本体４１を本体２に押し付けるばね部４２の弾性力を簡単に調整することができる。例えば、板本体４１と平座金３５（フランジ部５）との間隔を変化させるだけで、ばね部４２の弾性力を調整できる。また、押え板６の板厚や材質、ばね部４２の数、第一板ばね部４７、第二板ばね部４８の長さ寸法や幅寸法、第一板ばね部４７に対する第二板ばね部４８の折り返し角度の少なくとも一つを変えるだけでも、ばね部４２の弾性力を調整できる。また、回転軸部４の外径や高さ寸法を変えるだけでも、ばね部４２の弾性力を調整できる。
【００４２】
また、本実施形態のカバー保持構造１では、板本体４１を本体２の第二領域１２に押し付けるためのばね部４２が板本体４１に一体に形成されている。このため、ばね部４２が板本体４１と別個に形成される場合と比較して、カバー保持構造１の構成部品点数をさらに削減できる。
【００４３】
また、本実施形態のカバー保持構造１では、板本体４１に一体に形成されるばね部４２が、板本体４１に一体に形成された第一板ばね部４７と、第一板ばね部４７の先端に一体に形成された第二板ばね部４８と、を備える。このため、ばね部４２を板本体４１に一体に形成した押え板６を、一枚の板材に切削加工、プレス加工、折り曲げ加工などの加工を施すだけで簡単に製造することができる。
【００４４】
また、本実施形態のカバー保持構造１では、板本体４１に一体に形成されたばね部４２が、挿通孔４３の周方向に等間隔で複数配列されている。このため、複数のばね部４２の弾性力によって、板本体４１を挿通孔４３の周方向において均等に本体２の第二領域１２に押し付けることができる。これにより、カバー３を本体２の表面に安定した状態で保持することができる。
また、カバー保持構造１が複数のばね部４２を備えることで、個々のばね部４２の弾性力が小さくても、板本体４１を本体２の表面に押し付けるばね部４２の弾性力（強度）を確保することができる。
【００４５】
また、本実施形態のカバー保持構造１によれば、帯板状に形成された板本体４１の幅方向の両端部に一体に形成された一対の延長板部５２によって、板本体４１の剛性を高めて、板本体４１が反るように撓み変形することを効果的に抑制できる。例えば、押え板６がカバー３を押さえる第一回転位置Ｐ１に配された状態で、カバー３の保持構造を含む製品に振動が加えられる等してカバー３が押え板６に押し付けられても、板本体４１が撓み変形することを抑制できる。また、仮にカバー３の表面２１が本体２の第二領域１２よりも高く位置することで、押え板６がカバー３を押さえる第一回転位置Ｐ１に配された状態で板本体４１の押え部位４６がカバー３によって押し上げられても、板本体４１が撓み変形することを抑制できる。板本体４１の撓み変形が抑制されることで、カバー３を本体２に対して良好に保持することができる。
また、押え板６が延長板部５２を含むことで、押え板６を作業者の手指で掴みやすくなる。すなわち、作業者は押え板６を容易に操作することができる。
【００４６】
また、本実施形態のカバー保持構造１によれば、ばね部４２が板本体４１のうち挿通孔４３の周囲部分に設けられるため、一対の延長板部５２によって板本体４１の剛性を補強しても、この補強がばね部４２の弾性力に影響することはない。すなわち、板本体４１の剛性及びばね部４２の弾性力の両方を確保することができる。
【００４７】
また、本実施形態のカバー保持構造１では、延長板部５２の先端部が板本体４１の幅方向における板本体４１の内側に折り返されている。このため、延長板部５２の実質的な先端に丸み５７（図８参照）を持たせることができる。また、本実施形態のカバー保持構造１では、板本体４１の長手方向における延長板部５２の両端部の角部５６（図７参照）がＣ面加工によって削り取られている。これにより、作業者の手指が延長板部５２に触れた際に傷つくことを抑制できる。
【００４８】
以上、本発明に係る表示装置及び電子部品の保護方法の一実施形態について説明したが、本発明は上記の実施形態に限定されるものではなく、その趣旨を逸脱しない範囲において適宜変更可能である。
【００４９】
本発明において、フランジ部５は、例えば回転軸部４の雌ねじ３１に噛み合う螺子の頭部であってよいし、螺子の頭部と回転軸部４の先端３２との間に挟まれる平座金であってよい。また、フランジ部５は、例えば図１２に示すように回転軸部４の先端３２に着脱不能に固定されてよいし、例えば回転軸部４の先端３２に一体に形成されてもよい。
【００５０】
本発明において、ばね部４２は、例えば図１２に示すように板本体４１と別個に形成され、板本体４１のうち挿通孔４３の周縁部分に固定されてよい。また、ばね部４２は、例えば図１２に示すように回転軸部４を囲む筒状に形成されてもよい。
【００５１】
本発明において、カバー３が本体２の第一領域１１を覆った状態において外側に向くカバー３の表面２１は、例えば本体２の第二領域１２よりも高く位置してよい。この場合、押え板６が第一回転位置Ｐ１に配された状態でカバー３の表面２１に重なる板本体４１の押え部位４６は、例えば本体２の第二領域１２に重なる板本体４１の形成部位４５よりも高く位置してよい。
【符号の説明】
【００５２】
１  カバー保持構造
２  本体
３  カバー
４  回転軸部
５  フランジ部
６  押え板
７  座金付き螺子
１１  第一領域
１２  第二領域
２１  カバー３の表面
３１  回転軸部４の雌ねじ
３２  回転軸部４の先端
３５  平座金
４１  板本体
４２  ばね部
４３  挿通孔
４４  ガイド
４５  形成部位
４６  押え部位
４７  第一板ばね部
４８  第二板ばね部
５２  延長板部
５３  延長板部５２の折り返し部分
Ｐ１  第一回転位置
Ｐ２  第二回転位置
【図１】
2019215401.tif 000003
【図２】
2019215401.tif 000004
【図３】
2019215401.tif 000005
【図４】
2019215401.tif 000006
【図５】
2019215401.tif 000007
【図６】
2019215401.tif 000008
【図７】
2019215401.tif 000009
【図８】
2019215401.tif 000010
【図９】
2019215401.tif 000011
【図１０】
2019215401.tif 000012
【図１１】
2019215401.tif 000013
【図１２】
2019215401.tif 000014